(57)【要約】本発明は、レンズ光軸に沿って前後に並んで配置された２つのレンズ要素と、レンズ光軸に直交する平面内において少なくとも一方のレンズ要素を他方のレンズ要素に対して相対的に移動させる手段とを備えた複合レンズに関する。本発明は、また、本発明による少なくとも一つの複合レンズを備えた眼鏡に関する。本発明の目的は、前文に係る、より簡単な複合レンズを提供し、これにより、操作が容易な機構を用いてレンズ要素を互いに相対的に調整できるようにすることである。本発明によれば、移動手段が、前記レンズ要素の少なくとも一方と相互に作用することが可能な少なくとも一つのカム要素を有している。このようにして、簡単で安定性があるだけでなく、装着者による複合レンズの調整を容易にする構造が実現される。
2008533537.tif 000002
【特許請求の範囲】
【請求項１】
レンズ光軸に沿って前後に並んで配置された２つのレンズ要素と、レンズ光軸に直交する平面内において少なくとも一方のレンズ要素を他方のレンズ要素に対して相対的に移動させる手段とを備えた複合レンズであって、
前記移動手段が、前記レンズ要素の少なくとも一方と相互に作用することが可能な少なくとも一つのカム要素を有することを特徴とする複合レンズ。
【請求項２】
前記移動手段は、前記２つのレンズ要素を互いに反対方向に移動させるよう構成されていることを特徴とする請求項１に記載の複合レンズ。
【請求項３】
前記カム要素は、少なくとも一つのレンズ要素に設けられた溝に収容可能な可動ノッチとして構成されていることを特徴とする請求項１又は２のいずれかに記載の複合レンズ。
【請求項４】
前記ノッチが移動方向に対して直交する方向に移動可能であることを特徴とする請求項３に記載の複合レンズ。
【請求項５】
前記ノッチが、外周ねじを備えた回転可能なピンが収容可能な、内周ねじを備えた穴を有していることを特徴とする請求項３又は４のいずれかに記載の複合レンズ。
【請求項６】
前記溝が、前記レンズ要素の外周のフランジリムに設けられていることを特徴とする請求項３から５までのいずれか１以上に記載の複合レンズ。
【請求項７】
前記溝が、直線状の溝として構成されていることを特徴とする請求項３から６までのいずれか１以上に記載の複合レンズ。
【請求項８】
前記溝が、移動方向に対して傾斜した向きを有していることを特徴とする請求項７に記載の複合レンズ。
【請求項９】
前記溝が、湾曲した溝として構成されていることを特徴とする請求項３から６までのいずれか１以上に記載の複合レンズ。
【請求項１０】
前記レンズ要素の両方が溝を有し、前記溝が少なくとも一部で互いに重なり合い、前記溝のどちらにもノッチが収容可能であることを特徴とする請求項３から９までのいずれか１以上に記載の複合レンズ。
【請求項１１】
前記２つのレンズ要素の前記溝が、互いに鏡映関係にある向きを有することを特徴とする請求項１０に記載の複合レンズ。
【請求項１２】
前記カム要素が、少なくとも一つの前記レンズ要素の対応する歯と噛み合う歯を備えていることを特徴とする請求項１又は２のいずれかに記載の複合レンズ。
【請求項１３】
前記カム要素が、少なくとも一つのレンズ要素に設けられた歯を有する溝に収容可能な、回転可能なピンとして構成され、前記溝が移動方向に延在していることを特徴とする請求項１２に記載の複合レンズ。
【請求項１４】
前記回転可能なピンが、光軸に直交する方向に延在していることを特徴とする請求項１２又は１３のいずれかに記載の複合レンズ。
【請求項１５】
前期回転可能なピンが、光軸と平行に延在していることを特徴とする請求項１２又は１３のいずれかに記載の複合レンズ。
【請求項１６】
請求項１から１５までのいずれか１以上に記載の複合レンズを備えた眼鏡。
【発明の詳細な説明】
【技術分野】
【０００１】
本発明は、レンズ光軸に沿って前後に並んで配置された２つのレンズ要素と、レンズ光軸に直交する平面内において少なくとも一方のレンズ要素を他方のレンズ要素に対して相対的に移動させる手段とを備えた複合レンズに関する。
【０００２】
本発明は、また、本発明に係る複合レンズを少なくとも一つ備えた眼鏡に関する。
【背景技術】
【０００３】
上述したタイプの複合レンズは、米国特許第３，３０５，２９４号に開示されている。この米国特許に開示された複合レンズの欠点は、２つのレンズ要素を互いに相対的に調整する機能が制限されていることである。調整機構は、ワイヤ形状の部品を含む複雑な構造を有しているが、この調整機構を用いても、少なくとも一方のレンズ要素の他方に対する相対的な位置合わせを、あまり正確に且つ安定した方法で実現することができない。
【発明の開示】
【発明が解決しようとする課題】
【０００４】
本発明の目的は、それゆえ、前文に係る、より簡単な複合レンズを提供し、これにより、操作が容易な機構を用いてレンズ要素を互いに相対的に調整できるようにすることにある。
【課題を解決するための手段】
【０００５】
本発明によれば、移動手段は、少なくとも一つのレンズ要素と相互に作用することが可能な少なくとも一つのカム要素を有している。このようにして、簡単で安定性があるだけでなく、装着者による複合レンズの操作を容易にする構造が実現される。
【０００６】
より具体的には、移動手段は、２つのレンズ要素を互いに反対方向に移動させるよう構成されている。これにより、複合レンズの光軸のずれ（シフト）を防止することができ、ユーザによる装着及び観察がより容易になる。
【０００７】
一つの機能的な実施の形態では、カム要素は、少なくとも一つのレンズ要素に設けられた溝に収容可能な可動ノッチとして構成されている。このようにして、複合レンズの調整を容易で信頼性のあるものにする完結した形態の構造が実現される。
【０００８】
より具体的には、一つの実施の形態では、ノッチは、レンズ要素の移動方向に対して直交する方向に移動可能である。
【０００９】
本発明に係る複合レンズの一つの機能的な実施の形態では、ノッチは、内周ねじを備えた穴を有しており、この穴には、外周ねじを備えた回転可能なピンが収容可能である。これにより、ノッチと溝との直接的且つ永続的な結合が確保され、その結果、レンズ要素の正確な調整及び係止が確保される。
【００１０】
より具体的には、溝は、レンズ要素の外周のフランジリムに設けられている。溝は、第１の実施の形態では、直線的な溝として構成されている。別の実施の形態では、溝は、移動方向に対して傾斜した向きを有している。さらに別の実施の形態では、溝は、湾曲した溝として構成されている。
【００１１】
より詳細には、両レンズ要素が溝を備え、これらの溝が少なくとも部分的に重なり合っており、どちらの溝にもノッチが収容可能である。この場合、２つのレンズ要素の溝は、互いに鏡映関係にある向きを有しており、これにより複合レンズの光軸のずれを防止することができる。
【００１２】
さらに別の実施の形態では、ノッチは、少なくとも一つのレンズ要素に設けられた対応する歯と噛み合う歯を備えている。カム要素は、少なくとも一つのレンズ要素に設けられた歯を有する溝に組み込むことが可能な回転可能なピンとして構成することができ、当該溝は、移動方向に延在している。
【００１３】
２つの機能的な実施の形態では、回転可能なピンが、光軸に対して垂直又は平行な方向に延在している。
【００１４】
本発明について、以下の図面を参照してさらに説明する。
【発明を実施するための最良の形態】
【００１５】
以下の説明では、本発明の理解を容易にするため、同一の構成要素を同一の符号により表す。
【００１６】
図１は、本発明に係る２つの複合レンズを備えた眼鏡を示している。
【００１７】
眼鏡１０は、それぞれ互いに連結可能なフレーム部分１２，１３を有する複合フレームと、眼鏡脚１３ｂ，１３ｃとを有している。複合眼鏡フレーム１０（１２−１３）は、左のレンズ開口１２Ｌ−１３Ｌと、レンズ開口１２Ｒ−１３Ｒとをそれぞれ有している。フロントフレーム部分１２は、連結要素１２ｂ−１２ｃにより、端部に協働連結要素１８を備えた第２のフレーム部分１３に連結されている。協働連結要素１８は、開口部として構成された連結要素１２ｂ−１２ｃ内に固定可能又はクリック止め可能な突起として構成されている。
【００１８】
２つの眼鏡フレーム部分１２−１３は、ねじ接合又は接着接合により互いに連結されていてもよい。
【００１９】
本発明において、複合レンズ１４Ｌ，１４Ｒは、レンズ開口１２Ｌ−１３Ｌ（１２Ｒ−１３Ｒ）が形成された２つのレンズ部分１２−１３の間に組み込まれている。この場合、各複合レンズ１４Ｌ（１４Ｒ）は、それぞれ、フロントレンズ１４Ｌ１（１４Ｒ１）と、バックレンズ１４Ｌ２（１４Ｒ２）とを有している。２つのレンズ要素１４Ｌ１−１４Ｌ２（１４Ｒ１−１４Ｒ２）は、光軸方向から見て前後に並んで配置されている。
【００２０】
各レンズ要素１４Ｌ１−１４Ｌ２（１４Ｒ１−１４Ｒ２）は、レンズ要素の外周縁に延在するフランジ１５を有しており、このフランジ１５は溝１６１（１６２）を備えている。
【００２１】
本実施の形態では、各レンズ要素１４Ｌ１−１４Ｌ２（１４Ｒ１−１４Ｒ２）は、それぞれ溝１６１，１６２を有しており、各溝は、光軸に直交する移動方向に対して傾斜した向きを有している。より具体的には、各レンズ要素１４Ｌ１，１４Ｌ２（１４Ｒ１−１４Ｒ２）の溝１６１，１６２は、互いに鏡映関係にある向き（mirrored  orientation）を有している。
【００２２】
レンズ要素１４Ｌ１−１４Ｌ２及びレンズ要素１４Ｒ１−１４Ｒ２の一方または両方をそれぞれ互いに相対的に移動させるため、移動手段２０Ｌ（２０Ｒ）が設けられている。移動手段２０Ｌ（２０Ｒ）は、ノッチ１７Ｌ（１７Ｒ）を備えたカム要素２１Ｌ（２１Ｒ）を有している。ノッチ１７Ｌ（１７Ｒ）は、カム要素として作用すると共に、対応する複合レンズのフロントレンズ要素１４Ｌ１（１４Ｒ１）またはレンズ要素１４Ｌ２（１４Ｒ２）のそれぞれの溝１６１（１６２）の少なくとも一方に収容可能である。より具体的には、ノッチ１７Ｌ（１７Ｒ）は、両方の溝１６１−１６２に入り込むように延在している。この場合、ノッチ要素２１Ｌ（２１Ｒ）は、フレーム部分１３に設けられた凹部１３ｄ内にある。ノッチ要素２１Ｌ（２１Ｒ）は、回転可能なピン２２Ｌ（２２Ｒ）が収容可能な穴２１ａを有している。回転可能なピン２２Ｌ（２２Ｒ）は、この場合、眼鏡フレーム部分１３の凹部１３ｄにも収容される。
【００２３】
より具体的には、各カム要素２１Ｌ（２１Ｒ）の穴２１ａは、回転可能なピン２２Ｌ（２２Ｒ）の外周ねじ２２Ｌ１（２２Ｒ１）（図示せず）と協働する内周ねじ２１Ｌ１（２１Ｒ１）（図示せず）を備えている。眼鏡フレーム部分１３から突出する回転可能なピン２２Ｌ（２２Ｒ）の端部に設けられた回転ノブ２３Ｌ（２３Ｒ）の補助により、回転可能なピン２２Ｌ（２２Ｒ）は手動で回転させることができ、その結果、協働するねじ２１Ｌ１−２２Ｌ１（２１Ｒ１−２２Ｒ１）により、カム要素２１Ｌ（２１Ｒ）が回転可能なピン２２Ｌ（２２Ｒ）に沿ってノッチ１７Ｌ（１７Ｒ）と共に移動する。
【００２４】
ノッチ１７Ｌ（１７Ｒ）が２つのレンズ要素１４Ｌ１−１４Ｌ２（１４Ｒ１−１４Ｒ２）の２つの溝１６１−１６２に入り込むように延在しているため、また、ノッチ１７Ｌ（１７Ｒ）は眼鏡フレーム体１２−１３に収容されているため、２つのレンズ要素１４Ｌ１−１４Ｌ２，１４Ｒ１−１４Ｒ２は、それぞれ複合レンズの光軸に直交する移動方向に相対的に移動する。
【００２５】
より具体的には、この移動は、複合レンズ１４の光軸に直交する平面内で生じる。
【００２６】
このようにして、回転可能なピン２２Ｌ（２２Ｒ）を回転させ、カム要素２１Ｌ−２１Ｒ（ノッチ１７Ｌ−１７Ｒ）を介して２つのレンズ要素を互いに相対的に移動させることにより、ユーザ自身が眼鏡の強度を容易に調整することができる。
【００２７】
回転ノブ２３Ｌ（２３Ｒ）は、眼鏡フレーム１２−１３の頂部（図１、図２に示されているように）に限らず、眼鏡フレーム１２−１３の底部に同様の方法で配置することができることは明らかであろう。
【００２８】
図３は、移動手段２０Ｌ（２０Ｒ）の異なる実施の形態を示しており、この移動手段２０Ｌ（２０Ｒ）では、回転ノブ２３Ｒが眼鏡フレーム部分１３に収容されている。図１及び図２に示した実施の形態と同様に、回転可能なピン２２Ｒを手動で回転させられるよう、回転ノブ２３Ｒが回転可能なピン２２Ｒに設けられている。カム要素２１Ｒは、同様の方法で、協働するねじ２１Ｒ１−２２Ｒ１の作用により、回転可能なピン２２Ｒに沿ってノッチ１７Ｒと共に移動する。
【００２９】
回転ノブ２３Ｒは、回転可能なピン２２Ｒと共に、全体的に、眼鏡フレーム部分１３の凹部１３ｄ内に収容されている。
【００３０】
図４は、本発明に係る複合レンズのさらに別の実施の形態を示す。この図では、２つのレンズ要素１４Ｒ１−１４Ｒ２からなる右側の複合レンズの参照符号を用いる。２つのレンズ要素１４Ｒ１−１４Ｒ２は、レンズプロファイル１４ａ１−１４ａ２を有している。これらレンズプロファイル１４ａ１−１４ａ２は互いに対向しており、複合レンズを構成している。両レンズ要素１４Ｒ１−１４Ｒ２は、凹部１４ｂ１−１４ｂ２と、歯１４ｃ１−１４ｃ２とを有している。本発明によるカム要素は、レンズ要素１４Ｒ１−１４Ｒ２のうちの一方、この実施の形態では両方と連結可能であり、凹部１４ｂ１−１４ｂ２により形成された溝に収容可能である。
【００３１】
連結要素は、ここでは、回転可能なピン２２Ｒ−２３Ｒとして構成されており、図１〜３に示した実施の形態とは異なり、ねじ２２Ｒ１の代わりに、歯１４ｃ１〜１４ｃ２と噛み合う歯を備えている。この実施の形態では、歯２２Ｒ１を備えた回転可能なピン２２Ｒが、眼鏡フレーム１２−１３（図示せず）に設けられ、ユーザにより長軸２２ａの周りに容易に回転させられ、これにより２つのレンズ要素１４Ｒ１−１４Ｒ２が複合レンズの光軸に直交する面内で互いに相対的に移動する。
【００３２】
別の実施の形態では、レンズ要素１４Ｒ１−１４Ｒ２の一方のみが、歯１４ｃ１又は１４ｃ２を備え、レンズ要素の一方のみが、眼鏡フレームに固定された他方に対して移動可能である。
【００３３】
図４に示した実施の形態では、回転可能なピンは、回転軸２２ａを有し、移動面に対して平行に、すなわち移動面内に延在している。
【００３４】
別の実施の形態（図示せず）では、レンズ要素１４Ｒ１−１４Ｒ２の一方が、図１〜３に示したレンズ要素と同様の溝１６１−１６２を備えたフランジリム１５を有している。当該別の実施の形態では、溝は、移動方向に対して斜めの向きを有しているのではなく、当該溝１６１−１６２は、移動方向と平行に延在する直線状の溝として形成されている。図４の回転可能なピン３２Ｒは、この場合、当該溝１６１−１６２に入り込むように延在している。
【００３５】
図４と同様に、当該溝１６１−１６２は、回転可能なピン２２Ｒの歯２２Ｒ１と噛み合う歯を備えている。回転可能なピン２２Ｒは、この場合、光軸と平行に、また、複合レンズの調整時に当該レンズ要素が移動する面に直交するように延在している。
【００３６】
回転ノブ２３Ｒは、この場合、眼鏡フレーム１２−１３の前方に配置されている。
【００３７】
回転可能なピン２２Ｒの歯と、溝１６１−１６２の一方又は両方に設けられた歯との噛み合いにより、一方または両方のレンズ要素を、光軸上に位置する面であって回転可能なピン２２Ｒの回転軸に垂直な面内において、確実に、相対的に移動させることができる。
【００３８】
図５は、本発明に係る複合レンズの異なる実施の形態を示し、図６は、この実施の形態の詳細図である。
【００３９】
図５及び図６に示した実施の形態は、移動手段２０Ｌ（２０Ｒ）のもう一つの構成を示している。図２，３，４の実施の形態と同様に、移動手段２０Ｌ（２０Ｒ）は、ノッチ１７Ｌ（１７Ｒ）を備えたカム要素２１Ｌ（２１Ｒ）を有している。ノッチ１７Ｌ（１７Ｒ）は、カム要素として作用し、対応する複合レンズのフロントレンズ要素１４Ｌ１（１４Ｒ１）又はレンズ要素１４Ｌ２（１４Ｒ２）の各溝１６１（１６２）の少なくとも一つに収容されている。
【００４０】
最後の実施の形態をより視覚化するため、２つのレンズ要素１４Ｌ１，１４Ｌ２（又は１４Ｒ１，１４Ｒ２）は、それぞれ図示されていない。
【００４１】
上に示した実施の形態と同様、ノッチ１７Ｌ（１７Ｒ）は、フレーム部分１３の凹部１３ｄに入り込んでいる。カム要素２１Ｌ（２１Ｒ）は、２つの脚２１ａ１−２１ａ２からなる突出部２１ａを備えている。突出部２１ａは、らせん状ねじ要素２２Ｌ（２２Ｒ）の溝２２Ｌ１（２２Ｒ１）に収容可能である。このらせん状ねじ要素２２Ｌ（２２Ｒ）は、また、眼鏡フレーム部分１３の凹部１３ｄに収容されている。
【００４２】
らせん状ねじ要素２２Ｌ（２２Ｒ）の寸法は、らせん状ねじ要素２２Ｌ（２２Ｒ）の表面の少なくとも一部が眼鏡フレーム部分１３の凹部１３ｄを超えて延在するような寸法である。らせん状ねじ要素２２Ｌ（２２Ｒ）の表面は、この場合、図１〜３に示した回転ノブ２３Ｌ（２３Ｒ）と同様の調整面２３Ｌ（２３Ｒ）として作用する。このようにして、ユーザがらせん状ねじ要素２２Ｌ（２２Ｒ）を回転させると、脚２１ａ１−２１ａ２すなわち突出部２１ａとらせん状ねじ要素２２Ｌの溝２２Ｌ１との係合により、カム要素２１Ｌ（２１Ｒ）が調整される。
【００４３】
これによりノッチ１７Ｌ（１７Ｒ）もまた調整され、その結果、２つのレンズ要素１４Ｌ１−１４Ｌ２（それぞれ１４Ｒ１−１４Ｒ２）が移動する。
【００４４】
本発明によれば、ユーザ自身が眼鏡のレンズ強度を効率的な方法で調整することができる、簡単でまた効率のよい構造が実現される。
【図面の簡単な説明】
【００４５】
【図１】本発明に係る複合レンズを少なくとも一つ備えた眼鏡の一実施の形態を示す第１の図である。
【図２】図１に示した眼鏡の詳細図である。
【図３】本発明に係る複合レンズの別の実施の形態の詳細図である。
【図４】本発明の複合レンズのさらに別の実施の形態の詳細図である。
【図５】本発明に係る複合レンズの別の実施の形態の詳細図である。
【図６】図５の複合レンズの実施の形態の詳細図である。
【図１】
2008533537.tif 000003
【図２】
2008533537.tif 000004
【図３】
2008533537.tif 000005
【図４】
2008533537.tif 000006
【図５】
2008533537.tif 000007
【図６】
2008533537.tif 000008
【国際調査報告】
2008533537.tif 000009
2008533537.tif 000010